(57)【要約】【課題】アタッチメントの種類に応じた最適な入力で運転出来る電気掃除機を提供する。【解決手段】塵埃を吸引するための電動送風機１を内蔵する掃除機本体１０と、前記電動送風機１を制御する電動送風機制御手段２と、前記掃除機本体１０に連通接続されるホース（図示せず）と、前記ホースの先端に取り付けられる延長管（図示せず）や隙間ノズル（図示せず）が前記掃除機本体１０に装着されているかどうかを検知する延長管装着検知手段４、隙間ノズル装着検知手段５を設け、前記掃除機本体１０から外れている延長管や隙間ノズルに応じて前記電動送風機１の入力を変えるようにしたもので、安価な構成で、ホースの先端に取り付けられる延長管や隙間ノズルに最適な入力で電動送風機を運転することが出来る。【選択図】図３
2008099938.tif 000002
【特許請求の範囲】
【請求項１】
塵埃を吸引するための電動送風機を内蔵する掃除機本体と、前記電動送風機を制御する電動送風機制御手段と、前記掃除機本体に連通接続されたホースと、前記ホースの先端に取り付けられるアタッチメントが前記掃除機本体に装着されているかどうかを検知するアタッチメント装着検知手段とを設け、前記掃除機本体から外れている前記アタッチメントの種類に応じて前記電動送風機の入力を変えるようにした電気掃除機。
【請求項２】
掃除機本体の下部に回動自在に取着され、床面の塵埃を吸引するノズル部と、一端が前記掃除機本体に接続され、他端が前記ノズル部に着脱自在に接続されるホースと、前記ノズル部に設けられると共に前記ホースが前記ノズル部に接続されているかどうかを検知するホース装着検知手段を設け、前記ホースが前記ノズル部に装着されていない場合に、アタッチメント装着検知手段の出力が有効になるようにした請求項１に記載の電気掃除機。
【請求項３】
アタッチメント装着検知手段として、延長管が掃除機本体に装着されているかどうかを検知する延長管装着検知手段を設け、前記延長管が前記掃除機本体から外されている時の電動送風機の入力を、前記延長管が前記掃除機本体に装着されている時の入力より増加させるようにした請求項１又は２に記載の電気掃除機。
【請求項４】
アタッチメント装着検知手段として、狭い場所の掃除用に用いられる隙間ノズルが掃除機本体に装着されているかどうかを検知する隙間ノズル装着検知手段を設け、前記隙間ノズルが前記掃除機本体から外されている時の電動送風機の入力を、前記隙間ノズルが前記掃除機本体に装着されている時の入力より減少させるようにした請求項１又は２に記載の電気掃除機。
【請求項５】
ホースの一端がノズル部から外されている場合にのみ、使用者が電動送風機の入力を設定することが出来る吸込力設定手段を設けた請求項２〜４のいずれか１項に記載の電気掃除機。
【請求項６】
アタッチメント装着検知手段の出力に応じて、掃除機本体に装着されていないアタッチメントを表示する未装着アタッチメント表示手段を設けた請求項１〜５のいずれか１項に記載の電気掃除機。
【請求項７】
吸込力設定手段で設定された入力を表示する設定入力表示手段を設けた請求項５又は６に記載の電気掃除機。
【発明の詳細な説明】
【技術分野】
【０００１】
本発明は、電気掃除機に関するものである。
【背景技術】
【０００２】
米国や英国では、図５に示すような縦型（アップライト型）の電気掃除機が多く普及しており、さまざまな場所の掃除に適した形態のアタッチメント類５１〜５４などが、いつでも直ちに使用できるように、その掃除機本体５０に装着されている。５６は、掃除機本体５０の後方下部に回動自在に軸支されると共に掃除面から塵埃を吸引する床ノズル部である。
【０００３】
使用者が、それらアタッチメント類５１〜５４を使用する場合には、同図のように掃除機本体５０を一旦立てた状態、すなわち、スタンド状態にして、一端が掃除機本体５０に接続されたホース５５の他端を、床ノズル部５６から取り外し、その状態かまたはその先に、アタッチメント類５１〜５４の内の適切なものを取り付けて掃除を行う。このような電気掃除機を、掃除状態に応じて制御する方法については、例えば、下記特許文献１に記載されている。
【特許文献１】特開２００１−１５７６５５号公報
【発明の開示】
【発明が解決しようとする課題】
【０００４】
しかしながら、上記従来の電気掃除機の構成では、同図のようにアタッチメント類５１〜５４を掃除機本体５０に取り付けるためにスタンド状態にしても、掃除機本体５０を倒した掃除状態と、吸引風を発する電動送風機（掃除機本体５０に内蔵、図示せず）の入力は、変わらず、ホース５５の先端に取り付けたアタッチメント類によって風量低下が発生した状態で掃除を行なわなければならないという課題があった。
【０００５】
またホース５５の先端に付けられるアタッチメント類の種類を検知し、使用されるアタッチメント類に応じて、電動送風機を制御する方法も考えられるが、そのためには、ホース内部に導電線を内蔵し、さらにアタッチメント類毎に異なる抵抗値を有する抵抗を内蔵するなどしなければならず、ホース５５やアタッチメント類５１〜５４の内部構造が複雑になるといった課題があった。
【０００６】
本発明は前記従来の課題を解決するもので、導電線を内蔵しないホースやアタッチメントなどの一般的な付属品を用いた場合であっても、どのアタッチメントを使用して掃除を行おうとしているかを検知し、使用されるアタッチメントに応じた入力で電動送風機を運転することが出来る電気掃除機を提供することを目的とする。
【課題を解決するための手段】
【０００７】
前記従来の課題を解決するために本発明は、塵埃を吸引するための電動送風機を内蔵する掃除機本体と、前記電動送風機を制御する電動送風機制御手段と、前記掃除機本体に連通接続されたホースと、前記ホースの先端に取り付けられるアタッチメントが前記掃除機本体に装着されているかどうかを検知するアタッチメント装着検知手段とを設け、前記掃除機本体から外れている前記アタッチメントの種類に応じて前記電動送風機の入力を変えるようにしたもので、アタッチメントの種類に応じた最適な入力で電動送風機を運転することが出来る。また、使用されるアタッチメントの種類の検知を、アタッチメントの掃除機本体への装着状態を検知することによって行なっているので、アタッチメントの内部に電気配線が不要となり、一般的なアタッチメントにも適用できるという優れた効果を得ることができる。
【発明の効果】
【０００８】
本発明の電気掃除機は、安価な構成で、任意のアタッチメントを掃除機本体から外すとアタッチメント装着検知手段にてどのアタッチメントが取り外されたかが検知できるため、アタッチメントの種類に応じた適切な吸込力にて掃除を行うことができる。
【発明を実施するための最良の形態】
【０００９】
第１の発明は、塵埃を吸引するための電動送風機を内蔵する掃除機本体と、前記電動送風機を制御する電動送風機制御手段と、前記掃除機本体に連通接続されたホースと、前記ホースの先端に取り付けられるアタッチメントが前記掃除機本体に装着されているかどうかを検知するアタッチメント装着検知手段とを設け、前記掃除機本体から外れている前記アタッチメントの種類に応じて前記電動送風機の入力を変えるようにしたもので、アタッチメントの種類に応じた最適な入力で電動送風機を運転することが出来る。また、使用されるアタッチメントの種類の検知を、アタッチメントの掃除機本体への装着状態を検知することによって行なっているので、アタッチメントの内部に電気配線が不要となり、一般的なアタッチメントにも適用できるという優れた効果を得ることができる。
【００１０】
第２の発明は、特に、第１の発明の電気掃除機に、掃除機本体の下部に回動自在に取着され、床面の塵埃を吸引するノズル部と、一端が前記掃除機本体に接続され、他端が前記ノズル部に着脱自在に接続されるホースと、前記ノズル部に設けられると共に前記ホースが前記ノズル部に接続されているかどうかを検知するホース装着検知手段を設け、前記ホースが前記ノズル部に装着されていない場合に、アタッチメント装着検知手段の出力が有効になるようにしたもので、ホースがノズル部に接続されて使用しているときに、偶然アタッチメントが掃除機本体から外れたとしても、電動送風機の入力が不用意に変化することがない。
【００１１】
第３の発明は、特に、第１又は第２のアタッチメント装着検知手段として、延長管が掃除機本体に装着されているかどうかを検知する延長管装着検知手段を設け、前記延長管が前記掃除機本体から外されている時の電動送風機の入力を、前記延長管が前記掃除機本体に装着されている時の入力より増加させるようにしたもので、延長管を接続したことにより吸気抵抗が増加し、吸引力が低下するのを防止することができる。
【００１２】
第４の発明は、特に、第１又は第２の発明のアタッチメント装着検知手段として、狭い場所の掃除用に用いられる隙間ノズルが掃除機本体に装着されているかどうかを検知する隙間ノズル装着検知手段を設け、前記隙間ノズルが前記掃除機本体から外されている時の電動送風機の入力を、前記隙間ノズルが前記掃除機本体に装着されている時の入力より減少させるようにしたもので、掃除機本体から外されホースに接続された隙間ノズルの細い吸込口で発生する風切音を低減することができる。
【００１３】
第５の発明は、特に、第２〜４のいずれか一つの発明のホースの一端がノズル部から外されている場合にのみ、使用者が電動送風機の入力を設定することが出来る吸込力設定手段を設けたもので、被掃除面にあわせて使用者が吸込力を設定できる。
【００１４】
第６の発明は、特に、第１〜５のいずれか一つの発明のアタッチメント装着検知手段の出力に応じて、掃除機本体に装着されていないアタッチメントを表示する未装着アタッチメント表示手段を設けたもので、不意に入力が変化した場合でも使用者はすぐに認識することができるし、現在の使用中のアタッチメントの種類を表示によっても確認できる。
【００１５】
第７の発明は、特に、第５又は第６の吸込力設定手段で設定された入力を表示する設定入力表示手段を設けたもので、使用者は、容易に現在の設定入力を目視確認できる。
【００１６】
以下、本発明の実施の形態について、図面を参照しながら説明する。なお、この実施の形態によりこの発明が限定されるものではない。
【００１７】
（実施の形態１）
図１は、本発明の第１の実施の形態における電気掃除機の斜視図、図２は、同電気掃除機の部分斜視図及び要部断面図、図３は、同電気掃除機の回路ブロック図を示す。
【００１８】
図１から図３において、本実施の形態における電気掃除機は、掃除機本体１０と、その掃除機本体１０の下部に回動自在に取着され床面上の塵埃を吸引するノズル部１５から構成され、掃除機本体１０には、塵埃を吸引するための電動送風機１と、前記電動送風機１を制御する電動送風機制御手段２が内蔵されている。
【００１９】
３は、ホース１１がノズル部１５に装着されているかどうかを検知するホース装着検知手段、４は、アタッチメントの一つである延長管１２が掃除機本体１０に装着されているかどうかを検知するアタッチメント装着検知手段である延長管装着検知手段、５は、同じくアタッチメントの一つである隙間ノズル１３が掃除機本体１０に装着されているかどうかを検知するアタッチメント装着検知手段となる隙間ノズル装着検知手段であり、本実施の形態では、掃除機本体１０側のそれぞれの該当箇所に、マイクロスイッチ（図示せず）を設けてホース１１やアタッチメントが装着されているかどうかを検知している。
【００２０】
具体的な検知方法について、ホース１１の装着検知を例に、図２を用いて説明する。
【００２１】
ホース１１がノズル部１５に装着されているかどうかを検知するホース装着検知手段３は、ホース１１の一端が接続されると共にノズル部１５に設けられたホース差込部２０に内蔵されたマイクロスイッチ２１から構成されている。マイクロスイッチ２１を動作させるレバー２１ｂは、ホース差込部２０に設けた開口部２０ａから飛び出るように取り付けられている。
【００２２】
ホース１１が、ノズル部１５のホース差込部２０に装着されている時は、ホース１１自体によって、開口部２０ａから飛び出た前記マイクロスイッチ２１のレバー２１ｂが押され、マイクロスイッチ２１はオン状態であるが、ホース１１をノズル部１５のホース差込部２０から取り外すと、マイクロスイッチのレバー２１ｂはホース１１に押されないので、マイクロスイッチ２１はオフ状態となる。このようにして、ホース１１が、ノズル部１５に装着されているかどうかを容易に検知することができる。
【００２３】
延長管１２が掃除機本体１０に装着されているかどうかを検知する延長管装着検知手段４、隙間ノズル１３が掃除機本体１０に装着されているかどうかを検知する隙間ノズル装着検知手段５についても、特に図示しないが、ホース装着検知手段３と同様に、掃除機本体１０の延長管１２、隙間ノズル１３が装着される部位若しくはその近傍に取り付けられたマイクロスイッチ（図示せず）から構成され、延長管１２、隙間ノズル１３の掃除機本体１０への装着を検知するようにしている。
【００２４】
以上のように、本実施の形態では、ホース１１の先端に取り付けられる延長管１２や隙間ノズル１３などの各アタッチメント類毎に、そのアタッチメント類の装着を検知するようにしているので、どのアタッチメントが掃除機本体１０に装着されているかいないかは、延長管装着検知手段４、隙間ノズル装着検知手段５にて検知できる。
【００２５】
以上のようにして、ホース１１や各アタッチメントのノズル部１５や掃除機本体１０への装着状態が検知できる。
【００２６】
また、７は、延長管１２や隙間ノズル１３などのアタッチメント類が、掃除機本体１０から外れている場合にのみ、電動送風機１への入力を変えて、使用者が任意に選択・設定できる吸込力設定手段である。
【００２７】
８は、表示手段であり、掃除機本体１０に未装着のアタッチメント類を表示する未装着アタッチメント表示手段８ａおよび／または、ノズル部１５や掃除機本体１０に未装着のホース１１やアタッチメント類の状態や、吸込力設定手段７で設定された情報に応じた設定入力を表示する設定入力表示手段８ｂによって構成されている。
【００２８】
９は、演算処理手段であり、前記ホース装着検知手段３、延長管装着検知手段４、隙間ノズル装着検知手段５および吸込力設定手段７の信号を入力し、これらの信号から演算した電動送風機１の電流・電力信号を、電動送風機制御手段２および設定入力表示手段８ｂに出力すると同時に、ノズル部１５に装着されていないホース１１や、掃除機本体１０に装着されていない延長管１２や隙間ノズル１３などのアタッチメントに対応する信号を未装着アタッチメント表示手段８ａに出力している。
【００２９】
本実施の形態では、電動送風機１の入力を、以下のように設定している（「装着」、「未装着」は、ノズル部１５や掃除機本体１０からみての状態である）。
【００３０】
ホース１１装着時：１０００Ｗ、ホース１１未装着時：１１００Ｗ
延長管１２未装着時：１２００Ｗ、隙間ノズル１３未装着時：７００Ｗ
延長管１２、隙間ノズル１３が共に未装着時：８００Ｗ
吸込力設定手段７による吸込力設定時：６００Ｗ、９００Ｗまたは１３００Ｗ
以上のように構成された電気掃除機の動作、作用について説明する。
【００３１】
図４は、図３の回路ブロックの動作説明図であり、上記検知状態をもとに各状態での電動送風機１の入力や表示手段８の動作状態を整理すると下記のようになる。
【００３２】
（Ｉ）ホース１１がノズル部１５に装着されている場合
延長管装着検知手段４、隙間ノズル装着検知手段５の出力に拘らず、演算処理手段９からは、電動送風機１の入力が１０００Ｗになる信号を電動送風機制御手段２に、１０００Ｗに対応した表示信号を設定入力表示手段８ｂへ、それぞれ出力する。
【００３３】
また延長管１２や隙間ノズル１３などのアタッチメント類が掃除機本体１０から外れている場合には、上記に併せて、その外れているアタッチメント類を表示する信号を演算処理手段９から未装着アタッチメント表示手段８ａに出力する。これによって、使用者は外れているアタッチメント類を容易に知ることができる。
【００３４】
（II）ホース１１がノズル部１５から取り外されている場合
（・）アタッチメント類が全て掃除機本体１０に装着されている場合
１）吸込力設定手段７にて吸込力を設定していない場合、演算処理手段９からは、電動送風機１の入力が１１００Ｗになる信号を電動機制御手段２へ、１１００Ｗに対応した表示信号を設定入力表示手段８ｂへ、それぞれ出力する。
【００３５】
２）吸込力設定手段７にて吸込力を設定している場合は、演算処理手段９からは、その設定入力によって６００Ｗ、９００Ｗまたは１２００Ｗになる信号を電動機制御手段２と、各々の設定入力に対応した表示信号を設定入力表示手段８ｂに出力する。
【００３６】
この（・）では、上記１）２）の場合ともアタッチメント類は掃除機本体１０から外れていないので、演算処理手段９から未装着アタッチメント表示手段８ａに出力されない。これによって、使用者は外れているアタッチメント類がないことを容易に知ることが出来る。
【００３７】
（・）アタッチメント類が掃除機本体１０に装着されていない場合
１）吸込力設定手段７にて吸込力を設定していない場合、演算処理手段９からは
延長管１２未装着時：１２００Ｗ
隙間ノズル１３未装着時：７００Ｗ
延長管・隙間ノズルとも未装着時：８００Ｗ
になる信号を電動機制御手段２と、各々の入力に対応した表示信号を設定入力表示手段８ｂに出力する。
【００３８】
２）吸込力設定手段７にて使用者が吸込力を設定している場合、演算処理手段９からは、その設定入力によって６００Ｗ、９００Ｗまたは１２００Ｗになる信号を電動機制御手段２と、各々の入力に対応した表示信号を設定入力表示手段８ｂに出力する。
【００３９】
なお（・）の場合には、アタッチメント類が掃除機本体１０から外れているので、上記に併せて、その外れているアタッチメント類を表示する信号を演算処理手段９から未装着アタッチメント表示手段８ａに出力する。これによって、使用者は外れているアタッチメント類を容易に知ることができる。
【００４０】
以上のように、本実施の形態によれば、延長管１２をホース１１の先に接続して掃除を行う場合には、ホース１１や延長管１２が、ノズル部１５や掃除機本体１０から外されていることを検知し、電動送風機１への入力を増加させるので延長管１２での吸込みロスを補正することができ、掃除性能が低下することはない。
【００４１】
また、隙間ノズル１３を使用した場合には、入力を下げて吸込力を低下させることにより吸込音（風切り音）で不快な思いをすることもない。
【００４２】
ここでホース１１がノズル部１５に装着されたままで、単純に延長管１２や隙間ノズル１３が掃除機本体１０から外れている場合には、ホース装着検知手段３の情報により未装着アタッチメント表示手段８ａにより使用者はアタッチメントの外れが意図的なものではないことがわかる。
【００４３】
また吸込力設定手段７により被掃除面や好みにあわせて使用者が吸込力を設定できるため、アタッチメントを用いたときの吸込力が不満な場合には、使用者が自ら吸込力を設定することで掃除性能を得ることができるし、設定入力表示手段８ｂによって設定入力が容易にわかる。
【００４４】
さらに本実施の形態では、アタッチメントの掃除機本体１０への装着状態を検知することによって使用されるアタッチメントを検知しているため、アタッチメント内部での電気配線が不要となり一般的なアタッチメントに適用できるという優れた効果を得ることができる。
【産業上の利用可能性】
【００４５】
以上のように、本発明にかかる電気掃除機は、安価な構成で、任意のアタッチメントを掃除機本体から外すとアタッチメント装着検知手段にてどのアタッチメントが取り外されたかが検知できるため、アタッチメントの種類に応じた適切な吸込力にて掃除を行うことができるもので、家庭用、業務用、店舗用などの各種電気掃除機に適用できるものである。
【図面の簡単な説明】
【００４６】
【図１】本発明の実施の形態１における電気掃除機の斜視図
【図２】（ａ）同電気掃除機で、ホース装着時の部分斜視図及び要部断面図、（ｂ）同電気掃除機で、ホースが外された状態の部分斜視図及び要部断面図
【図３】同電気掃除機の回路ブロック図
【図４】同電気掃除機の動作説明図
【図５】従来の電気掃除機の概観図
【符号の説明】
【００４７】
１    電動送風機
２    電動送風機制御手段
３    ホース装着検知手段
４    延長管装着検知手段（アタッチメント装着検知手段）
５    隙間ノズル装着検知手段（アタッチメント装着検知手段）
７    吸込力設定手段
８    表示手段
８ａ  未装着アタッチメント表示手段
８ｂ  設定入力表示手段
９    演算処理手段
１０  掃除機本体
１１  ホース
１２  延長管（アタッチメント）
１３  隙間ノズル（アタッチメント）
２１  マイクロスイッチ（ホース装着検知手段）
【図１】
2008099938.tif 000003
【図２】
2008099938.tif 000004
【図３】
2008099938.tif 000005
【図４】
2008099938.tif 000006
【図５】
2008099938.tif 000007